【手続補正書】
【提出日】平成19年11月8日(2007.11.8)
【手続補正１】
【補正対象書類名】明細書
【補正対象項目名】００２０
【補正方法】変更
【補正の内容】
【００２０】
両端部２４，２５には、横方向へ延びる複数条の胴周り用弾性部材３２が伸縮可能に取り付けられている。両側部２６には、縦方向へ延びる複数条の脚周り用弾性部材３３が伸縮可能に取り付けられている。両側部２６には、前後胴周り域２１，２３間に配置されて縦方向へ延びる一対の液抵抗性防漏シート３４が取り付けられている。表面シート２９には、親水性繊維不織布３５が使用されている。裏面シート３０には、互いに重なり合う２枚の疎水性繊維不織布３６，３７をラミネートした複合不織布が使用されている。コア３１は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。ゆえに、コア３１は、その剛性が表裏面シート２９，３０のそれよりも高い。コア３１は、その型崩れやポリマーの脱落を防止するため、全体がティッシュペーパー（図示せず）に包被されている。コア３１は、ティッシュペーパーを介して表裏面シート２９，３０の内面に接合されている。ポリマーには、デンプン系、セルロース系、合成ポリマー系のそれが使用されている。物品２０Ａでは、表面シート２９の外面と防漏シート３４の外面とが肌当接面２７を形成し、裏面シート３０の外面が肌非当接面２８を形成している。
【手続補正２】
【補正対象書類名】明細書
【補正対象項目名】００３２
【補正方法】変更
【補正の内容】
【００３２】
物品２０Ａでは、固定後端部４２の側に延びる可動部４０の頂点４３どうしの最小離間寸法Ｌ１（図１参照）が股下域２２に延びるコア３１の最小横寸法Ｌ３（図４参照）の０〜２５％の範囲、好ましくは０〜１０％の範囲、より好ましくは０〜５％の範囲にある。頂点４３どうしの最小離間寸法Ｌ１がコア３１の最小横寸法Ｌ３の２５％を超過すると、可動部４０が排泄された大便をその上方から十分に包被することができず、大便が可動部４０の間から露出し、大便が着用者の股間部や臀部に付着して着用者の肌が広範囲に汚れてしまう場合がある。物品２０Ａでは、固定前端部４１の側に延びる可動部４０の頂点４３どうしの最大離間寸法Ｌ２（図１参照）が股下域２２に延びるコア３１の最小横寸法Ｌ３（図４参照）の２６〜１２０％の範囲、好ましくは３０〜８０％の範囲にある。頂点４３どうしの最大離間寸法Ｌ２がコア３１の最小横寸法Ｌ３の２６％未満では、頂点４３どうしの離間寸法が不十分となり、尿が可動部４０の外側に排泄されてしまう場合がある。
【手続補正３】
【補正対象書類名】明細書
【補正対象項目名】００３３
【補正方法】変更
【補正の内容】
【００３３】
なお、物品２０Ａが子供用の場合では、股下域２２に延びるコア３１の最小横寸法Ｌ３が概ね５〜９ｃｍの範囲にあり、頂点４３どうしの最小離間寸法Ｌ１が０〜２．２５ｃｍ、好ましくは０〜０．９ｃｍ、より好ましくは０〜０．４５ｃｍとなり、頂点４３どうしの最大離間寸法Ｌ２が１．３〜１０．８ｃｍ、好ましくは１．５〜７．２ｃｍとなる。また、物品２０Ａが大人用の場合では、股下域２２に延びるコア３１の最小横寸法Ｌ３が概ね１２〜２５ｃｍの範囲にあり、頂点４３どうしの最小離間寸法Ｌ１が０〜６．２５ｃｍ、好ましくは０〜２．５ｃｍ、より好ましくは０〜１．２５ｃｍとなり、頂点４３どうしの最大離間寸法Ｌ２が３．１２〜３０ｃｍ、好ましくは３．６〜２０ｃｍとなる。
【手続補正４】
【補正対象書類名】明細書
【補正対象項目名】００４１
【補正方法】変更
【補正の内容】
【００４１】
物品７０は、前胴周り域７１および後胴周り域７３と、それら胴周り域７１，７３の間に位置する股下域７２とを有し、前後胴周り域７１，７３に横方向へ延びる両端部７４と、前後胴周り域７１，７３間に縦方向へ延びる両側部７５とを有する。物品７０は、着用者の肌に対向する肌当接面７６と、着用者の肌に非対向の肌非当接面７７とを有する。物品７０は、前後胴周り域７１，７３および股下域７２を画成してその全体形状を形作る不透液性第１裏面シート７８と、裏面シート７８の内面に取り付けられた積層パネル７９とから形成されている。股下域７２の両側部７５は、横方向内方へ向かって弧を画いている。物品７０は、図１５に示すように、その平面形状が砂時計型である。物品７０では、前後胴周り域７１，７３の両側部７５が合掌状に重なり合い、両側部７５が縦方向へ並ぶ複数の熱融着線８０を介して固定されている。物品７０は、図１３，１４に示すように、前後胴周り域７１，７３が連結されたパンツ型であり、胴周り開口８１と一対の脚周り開口８２とを有する。
【手続補正５】
【補正対象書類名】明細書
【補正対象項目名】００５４
【補正方法】変更
【補正の内容】
【００５４】
物品７０では、固定後端部１００の側に延びる可動部９８の頂点１０２どうしの最小離間寸法Ｌ１（図１５参照）が股下域７２に延びるコア８９の最小横寸法Ｌ３（図１７参照）の０〜２５％の範囲、好ましくは０〜１０％の範囲、より好ましくは０〜５％の範囲にある。頂点１０２どうしの最小離間寸法Ｌ１がコア８９の最小横寸法Ｌ３の２５％を超過すると、可動部９８が排泄された大便をその上方から十分に包被することができず、大便が可動部９８の間から露出し、大便が着用者の股間部や臀部に付着して着用者の肌が広範囲に汚れてしまう場合がある。物品７０では、固定前端部９９の側に延びる可動部９８の頂点１０２どうしの最大離間寸法Ｌ２（図１５参照）が股下域７２に延びるコア８９の最小横寸法Ｌ３（図１７参照）の２６〜１２０％の範囲、好ましくは３０〜８０％の範囲にある。頂点１０２どうしの最大離間寸法Ｌ２がコア８９の最小横寸法Ｌ３の２６％未満では、頂点１０２どうしの離間寸法が不十分となり、尿が可動部９８の外側に排泄されてしまう場合がある。物品７０が子供用の場合の頂点１０２どうしの最小離間寸法Ｌ１、最大離間寸法Ｌ２の具体的な数値は図１の物品２０Ａのそれらと同一であり、物品７０が大人用の場合の頂点１０２どうしの最小離間寸法Ｌ１、最大離間寸法Ｌ２の具体的な数値は図１の物品２０Ａのそれらと同一である。
【手続補正６】
【補正対象書類名】明細書
【補正対象項目名】００５９
【補正方法】変更
【補正の内容】
【００５９】
２０Ａ    使い捨て着用物品
２０Ｂ    使い捨て着用物品
２１      前胴周り域
２２      股下域
２３      後胴周り域
２４      端部
２５      端部
２６      両側部
２７      肌当接面
２８      肌非当接面
２９      透液性表面シート
３０      不透液性裏面シート
３１      吸液性コア
３４      液抵抗性防漏シート
３９      固定部
４０      伸縮性可動部
４１      固定前端部
４２      固定後端部
４３      頂点
４４      伸縮性弾性部材
４５      液抵抗性端部シート（伸縮性端部シート）
４６      大便収容空間
４８      伸縮性弾性部材
４９      固定両端部
５０      自由中間部
５１      固定側部
５２      部位
５３      ポケット
７０      使い捨て着用物品
７１      前胴周り域
７２      股下域
７３      後胴周り域
７４      両端部
７５      両側部
７６      肌当接面
７７      肌非当接面
７８      不透液性第１裏面シート
７９      積層パネル
８７      透液性表面シート
８８      不透液性第２裏面シート
８９      吸液性コア
９０      端部
９１      端部
９２      両側部
９３      液抵抗性防漏シート
９７      固定部
９８      可動部
９９      固定前端部
１００    固定後端部
１０２    頂点
１０３    伸縮性弾性部材
１０４    液抵抗性端部シート（伸縮性端部シート）
１０５    大便収容空間
１０７    伸縮性弾性部材
１０８    固定両端部
１０９    自由中間部
１１０    固定側部
１１１    部位
１１２    ポケット
Ｌ１      最小離間寸法
Ｌ２      最大離間寸法
Ｌ３      最小横寸法